(57)【特許請求の範囲】
【請求項１】
建物の垂直方向の高い位置に設けた太陽光温水器と、浴槽と、太陽光温水器からの温水の浴槽供給配管と、湯沸かし器と、浴槽から湯沸かし器への湯の戻り配管と湯沸かし器から浴槽への湯の供給配管からなる追い焚き部から構成される風呂の追い焚きシステムにおいて、
温水の浴槽供給配管から太陽光温水器の位置水頭が変換された速度水頭により追い焚き部の流速を上げるために分岐した温水の追い焚き配管を湯の戻り配管に接続し、湯の戻り配管の温水の追い焚き配管との接続位置と浴槽との間及び温水の追い焚き配管に弁を設けたことを特徴とする風呂の追い焚きシステム。
【請求項２】
弁を電磁弁とし制御装置により電磁弁の開閉を行うことを特徴とする、請求項１に記載の風呂の追い焚きシステム。
【発明の詳細な説明】
【技術分野】
【０００１】
本発明は、建物の垂直方向の高い位置に設けた太陽光温水器の温水を浴槽に供給して、追い焚き部における循環量を上げて、大きな流速に値する高効率の熱量を得ることが出来る風呂の追い焚きシステムを提供するものである。
【背景技術】
【０００２】
太陽光を利用して水を熱する太陽光利用温水システムにおいて、水を蓄える水槽と、水槽の水を熱する加熱器と、太陽光を利用して水を熱する太陽光温水器と、水槽と太陽光温水器との間で水を循環させる循環装置とを備え、水を水槽と太陽光温水器間で循環させ、必要に応じて加熱器と併用して、水槽の水を熱することができることを特徴とする案もある。（例えば、特許文献１参照）。
【０００３】
従来の太陽光温水器は屋根の日光のあたる場所に設置して、日光のエネルギーを温水に変えて、風呂に落して利用しているのが主であり、天候に左右され、曇りの日にはそれなりの温度にしか昇温出来なくても、少しでもエネルギー的に付加された状態であれば風呂水として落して活用しているのが現状で太陽光温水器メーカーが存在する。（例えば、非特許文献１参照）。
【０００４】
台所の炊事用、洗面所及び風呂用として温度調節機能を有して、温水器が広く利用されており、風呂に利用する場合は、風呂の適温としてちょうどよい温度に設定して風呂に落とす場合と、太陽光温水器より落とした低めの温水の追い焚き機能及び、落とした湯の温度降下の湯冷め分の追い焚きするものとしての湯沸かし器が存在する。（例えば、非特許文献２参照）。
【０００５】
水道水圧力に耐える耐圧を擁して、水道水圧力を利用して高所に取り付けなくても済む太陽光温水器があって給湯器につなぐことが出来るものもある。（例えば、非特許文献３参照）。
【先行技術文献】
【特許文献】
【０００６】
【特許文献１】特開２００３―１３９４１３号  公報
【非特許文献】
【０００７】
【非特許文献１】朝日ソーラー（株）インターネットＨＰ  太陽熱温水器
【非特許文献２】(株)ノーリツ  インターネットＨＰ  製品情報  ふろ給湯器
【非特許文献３】(株)ＭＭＣ  インターネットＨＰ  ＭＭＣ  ＳＯＬＡＲ
【発明の概要】
【発明が解決しようとする課題】
【０００８】
上述のような従来の太陽光温水器を使用して、浴槽に温水を供給して追い焚きする場合は以下の課題を有する。
【０００９】
天候不順で生ぬるい温度にしか昇温出来なかった温水を、太陽光温水器からの温水の浴槽供給配管で浴槽に供給して、浴槽から湯沸かし器への湯の戻り配管を通して追い焚きをしているが、追い焚き部においてはサーモサイフォンによる自然循環が発生し、その自然循環量分の流速に値する熱量しか得ることが出来ない。以上から追い焚き部における循環量を上げて大きな流速に値する高効率の熱量を得ることが出来る風呂の追い焚きシステムを提供することが課題である。
【課題を解決するための手段】
【００１０】
前記課題を解決するために、本発明は以下の手段を有する。
【００１１】
第1の手段として、建物の垂直方向の高い位置に設けた太陽光温水器と、浴槽と、太陽光温水器からの温水の浴槽供給配管と、湯沸かし器と、浴槽から湯沸かし器への湯の戻り配管と湯沸かし器から浴槽への湯の供給配管からなる追い焚き部から構成される風呂の追い焚きシステムにおいて、
温水の浴槽供給配管から分岐した温水の追い焚き配管を湯の戻り配管に接続し、湯の戻り配管の温水の追い焚き配管との接続位置と浴槽との間及び温水の追い焚き配管に弁を設けたことを特徴とする。
【００１２】
第２の手段として、弁を電磁弁とし制御装置により電磁弁の開閉を行うことを特徴とする。
【発明の効果】
【００１３】
本請求項１に係る風呂の追い焚きシステムによれば、太陽光温水器からの温水の浴槽供給配管から分岐した温水の追い焚き配管を浴槽から湯の戻り配管に接続したことによって、太陽光温水器の高水頭が従来のサーモサイフォンによる自然循環量の数倍の強制循環量となって追い焚き部の流速を高めて通過することになり、得られる熱量も流速倍の高効率にアップする。
また、本請求項１に係る湯の戻り配管の温水の追い焚き配管との接続位置と浴槽との間及び温水の追い焚き配管に設けた弁を請求項２において、電磁弁とすることにより制御装置によって高効率の追い焚きシステムを容易に選択、操作できる。
【００１４】
本発明の請求項1、２に係る風呂の追い焚きシステムにおいて、燃料の省資源化を達成し、風呂に入れるまでの時間の短縮、および風呂に入ってからの太陽光温水器に残った温水の効果的な追い焚きにも活用できる。
【図面の簡単な説明】
【００１５】
【図１】本発明の請求項１に係る太陽光温水器を活用した、風呂の高効率な追い焚きシステムの構成図である。
【図２】本発明の請求項１に係る太陽光温水器を活用した別の実施形態の風呂の追い焚きシステムの構成図である。
【図３】本発明の請求項２に係る太陽光温水器を活用した、風呂の高効率な追い焚きシステムの構成図である。
【図４】従来技術における太陽光温水器を活用して、風呂の追い焚き湯沸かしをするシステムの構成図である。
【発明を実施するための形態】
【００１６】
以下、本発明の実施の形態を図１〜図４に基づいて説明する。
【００１７】
最初に従来技術における太陽光温水器を活用して、風呂の追い焚き湯沸かしをするシステムを図４に基づいて説明する。
図４は従来技術における太陽光温水器を活用して、風呂の追い焚き湯沸かしをするシステムを立面的にかつアイソメ的に太陽光温水器１、浴槽２、湯沸かし器３、追い焚き部４を表す。浴槽２のある建物の垂直方向の高い位置に設けた太陽光温水器１と太陽光温水器からの温水の浴槽供給配管８と、湯沸かし器３と、浴槽から湯沸かし器への湯の戻り配管１と湯沸かし器から浴槽への湯の供給配管１３からなる追い焚き部４から構成される風呂の追い焚きシステムにおいて、上水供給部７より、太陽光温水器供給上水配管２１によって、太陽光温水器供給上水２２が太陽光温水器１に供給され、太陽熱によって昇温され、太陽光温水器１の上部より、太陽光温水器からの温水9となって、太陽光温水器からの温水の浴槽供給配管８にて、浴槽２に供給され、湯面３６となって現れる。
浴槽２に供給された温水が生ぬるい場合は、浴槽から湯沸かし器への湯の戻り配管１１を通じて、追い焚き部４にて昇温される。
昇温されると、その前後において温度差相当の密度差が生じ、サーモサイフォンと呼ばれる現象の浴槽への供給温水１４の流れが追い焚き部４から浴槽２に向かって生じるが、自然循環であり、追い焚き部４において得られる熱量は限定される。
【００１８】
図１は本発明の請求項１に係る太陽光温水器を活用した、風呂の高効率な追い焚きシステムの構成図である。
【００１９】
浴槽２のある建物の垂直方向の高い位置に設けた太陽光温水器１と太陽光温水器からの温水の浴槽供給配管８と、湯沸かし器３と、浴槽から湯沸かし器への湯の戻り配管１１と湯沸かし器から浴槽への湯の供給配管１３からなる追い焚き部４から構成される風呂の追い焚きシステムにおいて、太陽光温水器からの温水の浴槽供給配管８から分岐した温水の追い焚き配管１０を湯の戻り配管１１に接続し、湯の戻り配管の温水の追い焚き配管１０の接続位置と浴槽２との間及び温水の追い焚き配管１０に弁を設けたことを示している。
【００２０】
太陽光温水器からの温水の浴槽供給配管８から分岐した温水の追い焚き配管１０を用いて追い焚するときは、太陽光温水器温水弁２９を閉にし、更に浴槽から湯沸かし器への戻り温水配管弁３１を閉にして、温水追い焚き配管弁３２を開にすることによって得られる。その追い焚き時には太陽光温水器１の上部から、太陽光温水器からの温水の浴槽供給配管８から分岐した温水の追い焚き配管１０の浴槽から湯沸かし器への湯の戻り配管１１の接続部までの高さが、エネルギー的に見て位置水頭となって追い焚き部４に働き、位置水頭は速度水頭に変換されて、従来のサーモサイフォンによる自然循環量の数倍の強制循環量となって追い焚き部の流速を高めて通過することになり、得られる熱量も流速倍の高効率にアップする。
【００２１】
図２は本発明の請求項１に係る太陽光温水器を活用した別の実施形態の風呂の追い焚きシステムの構成図である。太陽光温水器からの温水の浴槽供給配管８及び太陽光温水器からの温水の浴槽供給配管８から分岐した温水の追い焚き配管１０を出来るだけ短くすることで位置水頭となって得たエネルギーを配管抵抗にて食われることなく追い焚き部４に働くようにした別の実施形態である。
【００２２】
図３は本発明の請求項２に係る太陽光温水器を活用した、風呂の高効率な追い焚きシステムの構成図である。
湯の戻り配管１１に接続し、湯の戻り配管の温水の追い焚き配管１０の接続位置と浴槽２との間及び温水の追い焚き配管１０に電磁弁を設けたことを示している。
太陽光温水器からの温水の浴槽供給配管８から分岐した温水の追い焚き配管１０を用いて追い焚するときは、太陽光温水器温水弁２９を閉にし、更に浴槽から湯沸かし器への戻り温水配管電磁弁３３を閉にして、温水追い焚き配管電磁弁３４を開にすることによって得られる。これらはいずれもスィッチ＆制御装置５、制御配管３５により、追い焚きをする、追い焚きをやめて元の状態に戻す等の操作の選択を簡便に行うようにした別の実施形態である。
【符号の説明】
【００２３】
１    太陽光温水器
２    浴槽
３    湯沸かし器
４    追い焚き部
５    スィッチ  ＆  制御装置
６    燃料ガス供給部
７    上水供給部
８    太陽光温水器からの温水の浴槽供給配管
９    太陽光温水器からの温水
１０  温水追い焚き配管
１１  浴槽から湯沸かし器への湯の戻り配管
１２  浴槽から湯沸かし器への戻り温水
１３  浴槽への供給配管
１４  浴槽への供給温水      
１５  供給上水配管    
１６  供給上水      
１７  湯沸かし器供給上水配管        
１８  湯沸かし器供給上水            
１９  湯沸かし器からの浴槽への供給温水配管
２０  湯沸かし器からの浴槽への供給温水            
２１  太陽光温水器供給上水配管
２２  太陽光温水器供給上水        
２３  浴槽供給上水配管
２４  浴槽供給上水
２５  燃料ガス配管
２６  燃料ガス
２７  燃料ガス電磁弁  
２８  温水温度調節弁
２９  太陽光温水器温水弁
３０  供給上水弁        
３１  浴槽から湯沸かし器への戻り温水配管弁
３２  温水追い焚き配管弁
３３  浴槽から湯沸かし器への戻り温水配管電磁弁
３４  温水追い焚き配管電磁弁
３５  制御配管
３６  湯面
【要約】 
【課題】太陽光温水器からの温水の浴槽供給配管で浴槽に供給された生ぬるい温水は、浴槽から湯沸かし器への湯の戻り配管で追い焚きされるが、サーモサイフォンによる自然循環分の流速に値する熱量しか得ることが出来ない。以上から追い焚き部における循環量を上げて大きな流速に値する高効率の熱量を得ることが出来る風呂の追い焚きシステムを提供することが課題である。
【解決手段】生ぬるい温水の追い焚き時に、太陽光温水器からの温水の浴槽供給配管から分岐した温水の追い焚き配管を湯の戻り配管に接続することにより、太陽光温水器の高さよりなる高水頭を追い焚き部の強制循環・高流速に変換、高効率の熱量を得ることが出来、得られる熱量も流速倍にアップする。
【選択図】図１【図１】
0005789905.tif 000002
【図２】
0005789905.tif 000003
【図３】
0005789905.tif 000004
【図４】
0005789905.tif 000005